(57)【要約】【課題】充電終了を検知すること。【解決手段】実施形態に係るバッテリ装置は、接続部と、監視部と、検知部とを備える。接続部は、充電装置の充電プラグが接続される。監視部は、接続部と充電プラグとの接続状態に応じて段階的に変化する接続電圧を監視する。検知部は、監視部によって監視される接続電圧に基づいて充電終了を検知する。【選択図】図１
2019146458.tif 000002
【特許請求の範囲】
【請求項１】
充電装置の充電プラグが接続される接続部と、
前記接続部と前記充電プラグとの接続状態に応じて段階的に変化する接続電圧を監視する監視部と、
前記監視部によって監視される前記接続電圧に基づいてバッテリに対する充電終了を検知する検知部と
を備えることを特徴とするバッテリ装置。
【請求項２】
前記検知部は、
前記充電終了を検知した場合に、前記接続部と前記バッテリとを繋ぐリレーを遮断すること
を特徴とする請求項１に記載のバッテリ装置。
【請求項３】
前記検知部は、
前記充電プラグと前記接続部とのロック解除に伴う前記接続電圧の変化に基づいて前記充電終了を検知すること
を特徴とする請求項１または２に記載のバッテリ装置。
【請求項４】
前記監視部は、
前記充電装置が前記接続状態を検知するために電圧が印加されている電圧線と接続され、前記電圧線に流れる前記接続電圧を監視すること
を特徴とする請求項３に記載のバッテリ装置。
【請求項５】
充電装置の充電プラグが接続される接続工程と、
前記接続工程における前記充電プラグとの接続状態に応じて段階的に変化する接続電圧を監視する監視工程と、
前記監視工程によって監視される前記接続電圧に基づいてバッテリに対する充電終了を検知する検知工程と
を含むことを特徴とする充電終了検知方法。
【発明の詳細な説明】
【技術分野】
【０００１】
本発明は、バッテリ装置および充電終了検知方法に関する。
【背景技術】
【０００２】
従来、電気自動車等に搭載されるバッテリ装置がある。かかるバッテリ装置では、充電装置から通知される終了通知により充電終了を検知し、充電終了処理を開始する（例えば、特許文献１参照）。
【先行技術文献】
【特許文献】
【０００３】
【特許文献１】特開２０１２−０３４５０６号公報
【発明の概要】
【発明が解決しようとする課題】
【０００４】
しかしながら、従来技術では、充電装置から終了通知が通知されなかった場合、充電終了を検知することができず、充電終了処理を開始することができない。
【０００５】
本発明は、上記に鑑みてなされたものであって、充電終了を検知することができるバッテリ装置および充電終了検知方法を提供することを目的とする。
【課題を解決するための手段】
【０００６】
上述した課題を解決し、目的を達成するために、実施形態に係るバッテリ装置は、接続部と、監視部と、検知部とを備える。前記接続部は、充電装置の充電プラグが接続される。前記監視部は、前記接続部と前記充電プラグとの接続状態に応じて段階的に変化する接続電圧を監視する。前記検知部は、前記監視部によって監視される前記接続電圧に基づいて充電終了を検知する。
【発明の効果】
【０００７】
本発明によれば、充電終了を検知することができる。
【図面の簡単な説明】
【０００８】
【図１】図１は、充電終了検知方法の概要を示す図である。
【図２】図２は、充電システムのブロック図である。
【図３Ａ】図３Ａは、接続状態の具体例を示す図（その１）である。
【図３Ｂ】図３Ｂは、接続状態の具体例を示す図（その２）である。
【図４】図４は、接続電圧と接続状態との関係を示す図である。
【図５】図５は、充電装置が実行する処理手順を示すフローチャートである。
【発明を実施するための形態】
【０００９】
以下、添付図面を参照して、実施形態に係るバッテリ装置および充電終了検知方法を詳細に説明する。なお、以下に示す実施形態によりこの発明が限定されるものではない。
【００１０】
まず、図１を用いて実施形態に係る充電終了検知方法の概要について説明する。図１は、充電終了検知方法の概要を示す図である。なお、かかる充電終了検知方法は、図１に示すバッテリ装置１によって実行される。
【００１１】
図１に示すように、バッテリ装置１は、車両Ｃに搭載される。車両Ｃは、バッテリ装置１に蓄電された電力によって駆動するいわゆるプラグイン車両である。
【００１２】
また、バッテリ装置１は、充電装置５０によって充電される。充電装置５０は、バッテリ装置１を充電する充電スタンドである。バッテリ装置１には、充電装置５０の充電プラグ５５が接続され、かかる充電プラグ５５を介して充電装置５０から充電される。
【００１３】
ところで、従来技術において、バッテリ装置は、充電装置から送信される充電の終了通知によって充電終了を検知していた。バッテリ装置は、充電終了を検知すると、バッテリと充電プラグが接続される接続部とを繋ぐリレーをオフへ切り替える。これにより、バッテリおよび接続部間の通電がカットされ、接続部の高圧状態を解除することができる。
【００１４】
しかしながら、従来技術において、バッテリ装置は、充電装置側から終了通知が通知されない場合、充電終了を検知することができない。仮に、バッテリおよび接続部間の通電がカットされる前に充電プラグが抜かれると、高圧状態である接続部および充電プラグを介してユーザが感電するおそれがある。
【００１５】
そこで、実施形態に係る充電終了検知方法では、バッテリ装置側で充電終了を検知することとした。これにより、充電装置側から充電終了が通知されない場合であっても、接続部の高圧状態を解除することが可能となる。
【００１６】
具体的には、図１に示すように、まず、実施形態に係る充電終了検知方法では、接続電圧を監視する（ステップＳ１）。ここで、接続電圧とは、接続部５（図２参照）と充電プラグ５５との接続状態に応じて変化する電圧である。
【００１７】
また、接続状態は、例えば、挿入状態ｓｔ１と、ロック状態ｓｔ２とがある。挿入状態ｓｔ１は、接続部５に充電プラグ５５が挿入された状態である。ロック状態ｓｔ２は、挿入状態ｓｔ１の後に、充電プラグ５５が接続部５から離脱しないように機械的なロック機構によりロックされた状態である。例えば、ロック機構は、充電プラグ５５に対するユーザ操作によってオン／オフが切り替わる。
【００１８】
バッテリ装置１を充電する場合、挿入状態ｓｔ１を経由してロック状態ｓｔ２へ移行し、ロック状態ｓｔ２において充電装置５０からバッテリ装置１へ充電される。
【００１９】
一方、バッテリ装置１の充電を終了する場合、ロック状態ｓｔ２から挿入状態ｓｔ１へ移行した後に、充電プラグ５５が接続部５から引き抜かれることとなる。
【００２０】
このため、実施形態に係る充電終了検知方法では、接続状態がロック状態ｓｔ２から挿入状態ｓｔ１へ変化する際の接続電圧の変化に基づいて充電終了を検知する（ステップＳ２）。
【００２１】
つまり、実施形態に係る充電終了検知方法では、ユーザによるロック解除を接続電圧に基づいて検知し、かかるロック解除を充電終了として検知する。
【００２２】
したがって、実施形態に係る充電終了検知方法では、充電装置５０から充電終了が通知されない場合であっても、バッテリ装置１側で充電終了を検知することが可能となる。
【００２３】
次に、図２を用いて実施形態に係る充電システム１００の構成例について説明する。図２は、充電システム１００のブロック図である。なお、図２では、バッテリ装置１と、充電装置５０とが接続された状態を示し、上記の挿入状態ｓｔ１である場合を示す。図２に示すように、実施形態に係る充電システム１００は、バッテリ装置１と、充電装置５０とを備える。
【００２４】
また、図２に示すように、例えば、バッテリ装置１と、充電装置５０とは、電源線Ｌｐ１、Ｌｐ２と、電圧線Ｌｖ１〜Ｌｖ３と、信号線Ｌｃ１、Ｌｃ２と、補助電源線Ｌａ１、Ｌａ２とによって接続される。
【００２５】
電源線Ｌｐ１および電源線Ｌｐ２は、充電装置５０からバッテリ装置１へ電力を供給するための線であり、充電装置５０側にリレーＫ１およびリレーＫ２を備え、バッテリ装置１側にリレーＫ５およびリレーＫ６を備える。
【００２６】
充電装置５０側のリレーＫ１およびリレーＫ２は、充電制御部５１によってオン／オフが制御され、バッテリ装置１側のリレーＫ５およびリレーＫ６は、バッテリ装置１の制御部２によってオン／オフが制御される。
【００２７】
電圧線Ｌｖ１〜Ｌｖ３は、バッテリ装置１と充電装置５０との接続状態を検知するための電圧が印加される線である。電圧線Ｌｖ１は、上記の電源線Ｌｐ１および電源線Ｌｐ２から分岐し、電源線Ｌｐ１および電源線Ｌｐ２に流れる所定の電圧（例えば、１２Ｖ）が印加される。
【００２８】
また、電圧線Ｌｖ１は、分岐線Ｌｂ１および分岐線Ｌｂ３を介して電圧線Ｌｖ２と接続し、分岐線Ｌｂ２を介して電圧線Ｌｖ３と接続される。電圧線Ｌｖ２は、一端が充電制御部５１に接続され、他端が制御部２へ接続される。
【００２９】
また、電圧線Ｌｖ１は、接続部５に充電プラグ５５が挿入された挿入状態ｓｔ１において分岐線Ｌｂ３を介して電圧線Ｌｖ２と接続され、分岐線Ｌｂ２を介して電圧線Ｌｖ３と接続される。また、電圧線Ｌｖ２には、充電装置５０側に抵抗Ｒ１を含む観測点Ｐ１が設けられる。
【００３０】
充電装置５０は、観測点Ｐ１で電圧線Ｌｖ２に流れる電圧を監視することで、バッテリ装置１との接続状態を検知する。すなわち、電圧線Ｌｖ２は、充電装置５０が接続状態を検知するために電圧が印加されている線である。
【００３１】
また、本実施形態では、電圧線Ｌｖ２が、一端が制御部２に接続されるので、制御部２で上記の接続状態を検知することが可能となる。なお、接続状態と電圧線Ｌｖ２に流れる電圧との関係については、図３Ａおよび図３Ｂを用いて後述する。
【００３２】
電圧線Ｌｖ３は、一端が制御部２に接続され、制御部２で充電プラグ５５が接続部５に接続されたことを検知するための線であり、バッテリ装置１側に抵抗Ｒ５を含む観測点Ｐ２が設けられる。
【００３３】
電圧線Ｌｖ３には、充電プラグ５５と接続部５とが接続されると、電圧線Ｌｖ１から所定の電圧が流れ、充電プラグ５５と接続部５との接続が解除されると、かかる電圧は遮断される。すなわち、観測点Ｐ２では、充電プラグ５５と接続部５とが接続されているか否かを検知することが可能である。
【００３４】
なお、上述のように、実施形態に係る充電システム１００では、電圧線Ｌｖ２を用いてバッテリ装置１側で接続状態を検知することができるので、電圧線Ｌｖ３を省略することも可能である。
【００３５】
信号線Ｌｃ１および信号線Ｌｃ２は、一端が充電制御部５１に接続され、他端が制御部２に接続される。信号線Ｌｃ１および信号線Ｌｃ２は、バッテリ装置１と充電装置５０とがＣＡＮ（Controller  Area  Network）通信により信号を送受信するための線である。
【００３６】
例えば、充電制御部５１は、現在の充電状態を示す信号等を信号線Ｌｃ１および信号線Ｌｃ２を介して制御部２へ送信する。また、充電制御部５１は、充電終了を示す終了通知を制御部２へ信号線Ｌｃ１および信号線Ｌｃ２を介して送信する。
【００３７】
なお、上記の様に、充電装置５０によっては、必ずしも終了通知を通知しない場合がある。このため、実施形態に係るバッテリ装置１は、バッテリ装置１側で充電終了を検知することが必要となる。
【００３８】
また、信号線Ｌｃ１および信号線Ｌｃ２が、故障した場合にも同様にバッテリ装置１は、充電装置５０から上記の終了通知を取得することができない。このため、信号線Ｌｃ１および信号線Ｌｃ２が故障した場合においても、本発明は有用となる。
【００３９】
補助電源線Ｌａ１および補助電源線Ｌａ２は、一端が補助電源５２に接続され、他端が制御部２に接続される。例えば、補助電源線Ｌａ１および補助電源線Ｌａ２は、補助電源５２から所定の電圧が印加される。
【００４０】
また、同図に示すように、補助電源線Ｌａ１には、リレーＫ３が設けられ、補助電源線Ｌａ２には、リレーＫ４がそれぞれ充電装置５０側に設けられる。
【００４１】
リレーＫ３およびリレーＫ４は、それぞれ充電制御部５１によってオン／オフが切り替えられる。例えば、充電制御部５１が上記のロック状態ｓｔ２（図１参照）を検知すると、リレーＫ３およびリレーＫ４をオフからオンに切り替える。
【００４２】
これにより、補助電源線Ｌａ１および補助電源線Ｌａ２を介して補助電源５２から制御部２へ電圧が印加される。また、充電制御部５１がバッテリＢの充電を終了する際に、リレーＫ３およびリレーＫ４をオンからオフに切り替える。これにより、補助電源５２と制御部２との補助電源線Ｌａ１および補助電源線Ｌａ２による接続が遮断される。
【００４３】
続いて、充電装置５０の構成について説明する。充電装置５０は、充電制御部５１と、補助電源５２と、ＡＣ／ＤＣコンバータ５３と、ＤＣ／ＤＣコンバータ５４と充電プラグ５５とを備える。
【００４４】
充電制御部５１は、充電装置５０全体を制御する。上記のように、充電制御部５１は、電圧線Ｌｖ２に印加された接続電圧に基づいて充電プラグ５５と、接続部５との接続状態を検知する。
【００４５】
充電制御部５１は、接続状態が上記のロック状態ｓｔ２となった場合に、リレーＫ１〜Ｋ４をオフからオンへ切り替える制御を行う。また、充電を開始した後に、充電制御部５１は、現在の充電状態を示す信号を信号線Ｌｃ１および信号線Ｌｃ２を介して制御部２へ送信する。
【００４６】
そして、充電が完了した場合、充電制御部５１は、リレーＫ１およびリレーＫ２をオフに切り替えて、バッテリ装置１への充電を停止するとともに、リレーＫ３およびリレーＫ４をオフにする。
【００４７】
このように、充電制御部５１が、バッテリＢへの充電を終了すると、リレーＫ３およびリレーＫ４をオフに切り替える。これにより、補助電源線Ｌａ１および補助電源線Ｌａ２が遮断されるので、制御部２で充電完了を検知することが可能である。
【００４８】
しかしながら、リレーＫ３およびリレーＫ４がオンであるバッテリＢの充電中に、ユーザが充電プラグ５５を引き抜く場合、制御部２は、補助電源線Ｌａ１および補助電源線Ｌａ２を用いて充電終了を検知することができない。
【００４９】
これに対して、本実施形態では、ユーザが充電プラグ５５を引き抜く際のロック解除を検知するので、ユーザによって充電プラグ５５が引き抜かれるよりも早く充電終了を検知することが可能である。
【００５０】
補助電源５２は、例えば、バッテリＢを充電するための電力を蓄電するための蓄電池である。補助電源５２は、例えば、ジャンパを介してＡＣ／ＤＣコンバータ５３に接続される。
【００５１】
補助電源５２から供給される交流電力は、ＡＣ／ＤＣコンバータ５３によって直流電力に変換され、ＡＣ／ＤＣコンバータ５３に設けられたコイルを介してＤＣ／ＤＣコンバータ５４へ供給される。
【００５２】
ＤＣ／ＤＣコンバータ５４は、ＡＣ／ＤＣコンバータ５３から供給される直流電圧を所定の電圧（例えば、１２Ｖ）へ調整し、バッテリＢや電圧線Ｌｖ１に印加する。
【００５３】
バッテリ装置１は、制御部２と、接続部５と、バッテリＢとを備える。バッテリＢは、例えば、充放電効率が低い蓄電池であり、例えば、鉛バッテリである。バッテリＢに蓄電された電力は、車両Ｃの動力源として用いられる。
【００５４】
また、制御部２は、監視部２１と、検知部２２とを備える。制御部２は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００５５】
コンピュータのＣＰＵは、例えば、ＲＯＭに記憶されたプログラムを読み出して実行することによって、制御部２の監視部２１および検知部２２として機能する。
【００５６】
また、制御部２の監視部２１および検知部２２の少なくともいずれか一つまたは全部をＡＳＩＣ（Application  Specific  Integrated  Circuit）やＦＰＧＡ（Field  Programmable  Gate  Array）等のハードウェアで構成することもできる。
【００５７】
監視部２１は、接続部５と充電プラグ５５との接続状態に応じて段階的に変換する接続電圧を監視する。ここで、図３Ａおよび図３Ｂを用いて監視部２１による処理の具体例について説明する。
【００５８】
図３Ａおよび図３Ｂは、接続状態の具体例を示す図であり、図３Ａでは、接続状態が挿入状態ｓｔ１である場合を示し、図３Ｂでは、接続状態がロック状態ｓｔ２である場合をそれぞれ示す。また、図３Ａおよび図３Ｂでは、電圧の流れを太矢印で示す。
【００５９】
図３Ａに示すように、挿入状態ｓｔ１において、電圧線Ｌｖ１に印加される例えば、１２Ｖの監視電圧Ｖａは、分岐線Ｌｂ３を介して電圧線Ｌｖ２に印加されるが分岐線Ｌｂ３には、抵抗Ｒ４があるので、監視電圧Ｖａは、抵抗Ｒ４によって所定電圧（例えば、６Ｖ）まで降下し、充電制御部５１や監視部２１がこれを検出する。
【００６０】
このため、バッテリ装置１では、監視部２１が、電圧線Ｌｖ２に印加される６Ｖの電圧を検出した場合に、接続状態が挿入状態ｓｔ１であることを検知することができる。
【００６１】
一方、図３Ｂに示すように、ロック状態ｓｔ２においては、分岐線Ｌｂ１に設けられたスイッチＳＷがオンとなる。このため、ロック状態ｓｔ２においては、電圧線Ｌｖ１と、電圧線Ｌｖ２とは、分岐線Ｌｂ１と分岐線Ｌｂ３とを介して電気的に接続される。
【００６２】
また、分岐線Ｌｂ１には、抵抗Ｒ２があるので、監視電圧Ｖａは、分岐線Ｌｂ１と分岐線Ｌｂ３とに分圧され、抵抗Ｒ２および抵抗Ｒ４によって所定の電圧（例えば、４Ｖ）まで降下する。
【００６３】
このため、バッテリ装置１では、監視部２１が、電圧線Ｌｖ２に印加される４Ｖの電圧を検出した場合に、接続状態がロック状態ｓｔ２であることを検知することができる。
【００６４】
ここで、スイッチＳＷは、充電プラグ５５の図示しない操作部に対応してオン／オフが切り替わる。具体的には、挿入状態ｓｔ１においてかかる操作部が操作されると、充電プラグ５５と接続部５とが機械的にロックされるとともに、スイッチＳＷがオンとなる。
【００６５】
一方、ロック状態ｓｔ２において、上記の操作部が操作されると、充電プラグ５５と接続部５との機械的なロックが解除されるとともに、スイッチＳＷがオフとなる。
【００６６】
ところで、電圧線Ｌｖ２は、従来技術において、充電制御部５１が接続状態を監視するための線である。このため、従来技術において、電圧線Ｌｖ２は、充電制御部５１に接続されるものの、監視部２１には接続されない。
【００６７】
これに対して、実施形態に係る充電システム１００において、電圧線Ｌｖ２が監視部２１に接続される。言い換えれば、実施形態に係る充電システム１００では、充電装置５０が接続状態を検知するために設けられた電圧線Ｌｖ２の電圧をバッテリ装置１側で監視する。
【００６８】
このように、実施形態に係る充電システム１００では、電圧線Ｌｖ２を充電装置５０および制御部２で共有することで、充電装置５０および制御部２の双方で接続状態を検知することが可能となる。
【００６９】
言い換えれば、実施形態に係る充電システム１００では、電圧線Ｌｖ２を監視部２１まで延伸させた簡易な構成で、バッテリ装置１側で充電終了を検知することが可能となる。つまり、バッテリ装置１側で充電終了を安価な構成で検知することが可能となる。
【００７０】
図２の説明に戻り、制御部２の検知部２２について説明する。検知部２２は、監視部２１によって監視される接続電圧に基づいてバッテリＢに対する充電終了を検知する。
【００７１】
ここで、図４を用いて接続電圧と接続状態との関係について説明する。図４は、接続電圧と接続状態との関係を示す図である。上述のように、接続電圧は、接続状態に応じて変化する。
【００７２】
具体的には、図４に示すように、接続状態が挿入状態ｓｔ１における接続電圧は、ロック状態ｓｔ２における接続電圧よりも高い。また、上述のように、充電を開始する場合、挿入状態ｓｔ１を経由してロック状態ｓｔ２へ移行し、充電を終了する場合、ロック状態ｓｔ２から挿入状態ｓｔ１を経由した後に、充電プラグ５５が接続部５から引き抜かれる。
【００７３】
つまり、充電を開始した後に、ユーザが充電プラグ５５を引き抜く場合、ロック状態ｓｔ２から挿入状態ｓｔ１へ移行する。このため、検知部２２は、ロック解除に伴う接続電圧の変化に基づいて充電終了を検知する。
【００７４】
具体的には、検知部２２は、図４に示すように、ロック状態ｓｔ２から挿入状態ｓｔ１への移行に伴い接続電圧が変化した場合に、充電終了を検知する。
【００７５】
言い換えれば、検知部２２は、ユーザが充電プラグ５５を引き抜こうとしたことを充電終了として検知する。つまり、検知部２２は、ロック解除に伴う接続電圧の変化に伴って充電終了を検知することで、ユーザが充電プラグ５５を実際に引き抜くよりも早く充電終了を検知することが可能となる。
【００７６】
また、検知部２２は、充電終了を検知すると、図２に示した接続部５と、バッテリＢとを繋ぐリレーＫ５およびリレーＫ６を遮断（オフ）へ切り替える。
【００７７】
これにより、ユーザが充電プラグ５５を実際に引き抜くよりも早く接続部５および充電プラグ５５は、高圧状態から解放される。したがって、接続部５および充電プラグ５５への接触によるユーザの感電を未然に防ぐことが可能となる。
【００７８】
次に、図５を用いて実施形態に係るバッテリ装置１が実行する処理手順について説明する。図５は、バッテリ装置１が実行する処理手順を示すフローチャートである。
【００７９】
図５に示すように、まず、制御部２の監視部２１は、接続電圧の監視を開始する（ステップＳ１０１）。続いて、検知部２２は、接続電圧に基づき、挿入状態ｓｔ１へ移行したか否かを判定する（ステップＳ１０２）。
【００８０】
ここで、挿入状態ｓｔ１へ移行していない場合（ステップＳ１０２，Ｎｏ）、充電プラグ５５は接続部５に接続されていないことを意味し、検知部２２は、ステップＳ１０２の処理を継続して行う。
【００８１】
一方、挿入状態ｓｔ１へ移行した場合（ステップＳ１０２，Ｙｅｓ）、検知部２２は、ロック状態ｓｔ２へ移行したか否かを判定する（ステップＳ１０３）。
【００８２】
ロック状態ｓｔ２に移行していない場合（ステップＳ１０３，Ｎｏ）、検知部２２は、引き続きステップＳ１０３の処理を継続して行う。一方、ロック状態ｓｔ２へ移行した場合（ステップＳ１０３，Ｙｅｓ）、検知部２２は、ロック状態ｓｔ２から挿入状態ｓｔ１へ移行したか否かを判定する（ステップＳ１０４）。
【００８３】
ロック状態ｓｔ２から挿入状態ｓｔ１へ移行していない場合（ステップＳ１０４，Ｎｏ）、検知部２２は、ステップＳ１０４の処理を継続して行う。一方、ロック状態ｓｔ２から挿入状態ｓｔ１へ移行した場合（ステップＳ１０４，Ｙｅｓ）、検知部２２は、充電終了を検知する（ステップＳ１０５）。
【００８４】
そして、検知部２２は、接続部５とバッテリＢとを繋ぐリレーＫ５およびリレーＫ６を遮断して（ステップＳ１０６）、処理を終了する。
【００８５】
上述したように、実施形態に係るバッテリ装置１は、接続部５と、監視部２１と、検知部２２とを備える。接続部５は、充電装置５０の充電プラグ５５が接続される。監視部２１は、接続部５と充電プラグ５５との接続状態に応じて段階的に変化する接続電圧を監視する。
【００８６】
検知部２２は、監視部２１によって監視される接続電圧に基づいてバッテリＢに対する充電終了を検知する。したがって、実施形態に係るバッテリ装置１は、充電終了を検知することができる。
【００８７】
ところで、上述した実施形態では、接続部５と充電プラグ５５との接続状態が２段階である場合について説明したが、これに限定されるものではない。すなわち、接続状態は、３段階以上であってもよい。
【００８８】
また、上述した実施形態では、制御部２が、電圧線Ｌｖ２を充電装置５０と共有する場合について説明したが、これに限定されるものではない。例えば、電圧線Ｌｖ２に対応する線を制御部２用に別途設けることにしてもよい。
【００８９】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９０】
１      バッテリ装置
２      制御部
５      接続部
２１      監視部
２２      検知部
５０      充電装置
５５      充電プラグ
Ｂ    バッテリ
ｓｔ１    挿入状態（接続状態の一例）
ｓｔ２    ロック状態（接続状態の一例）
【図１】
2019146458.tif 000003
【図２】
2019146458.tif 000004
【図３Ａ】
2019146458.tif 000005
【図３Ｂ】
2019146458.tif 000006
【図４】
2019146458.tif 000007
【図５】
2019146458.tif 000008